(57)【特許請求の範囲】
【請求項１】
固定角遠心ロータに使用されるアダプタであって、回転している間に回転軸線に関して半径方向内側寄りに位置する部分と、半径方向外側寄りに位置する部分とを備えているとともに、遠心チューブを収容するよう寸法付けられた凹部を有するアダプタにおいて、
アダプタの内側寄りの部分に長円形の開口が形成され、該開口を取り囲んでいるアダプタの内側寄りの部分の材料が遠心作動の間にアダプタ自体を支持する強度を有するように前記開口が寸法付けられていることを特徴とする遠心チューブ用アダプタ。
【請求項２】
固定角遠心ロータに使用されるアダプタであり、回転している間に回転軸線に関して半径方向内側寄りに位置する部分と、半径方向外側寄りに位置する部分とを備えているとともに、遠心チューブを収容するよう寸法付けられた凹部を有するアダプタであって、遠心作動の間、遠心チューブの第１の部分をアダプタの内側寄りの部分の第１の領域から半径方向外方に向かって撓ませ、遠心チューブの隣接した第２の部分が押圧されてアダプタの内側寄りの部分の第２の領域と接触せしめる負荷の影響を遠心チューブが受けるようにされたアダプタにおいて、
アダプタの内側寄りの部分に開口が形成されており、該開口がアダプタの内側寄りの部分の前記第１の領域とほぼ同じ広さであることを特徴とする遠心チューブ用アダプタ。
【請求項３】
固定角遠心ロータに使用されるアダプタであるとともに、該アダプタが内側寄りのセグメントと外側寄りのセグメントとから構成されていて、内側寄りのセグメントと外側寄りのセグメントそれぞれに遠心チューブを収容するよう寸法付けられた凹部を定めるよう協働するくぼみが形成されており、遠心作動の間、遠心チューブの第１の部分を内側寄りのセグメントの第１の領域から半径方向外方に向かって撓ませ、遠心チューブの隣接した第２の部分が押圧されて内側寄りのセグメントの第２の部分と接触せしめる負荷の影響を遠心チューブが受けるようにされたアダプタにおいて、
アダプタの内側寄りのセグメントに開口が形成されており、該開口がアダプタの内側寄りセグメントの第１の領域とほぼ同じ広さであることを特徴とする遠心チューブ用アダプタ。
【請求項４】
固定角遠心ロータに使用されるアダプタであるとともに、該アダプタが内側寄りのセグメントと外側寄りのセグメントとから構成されていて、内側寄りのセグメントと外側寄りのセグメントそれぞれに遠心チューブを収容するよう寸法付けられた凹部を定めるよう協働するくぼみが形成されているアダプタにおいて、
アダプタの内側寄りのセグメントに長円形の開口が形成され、該開口を取り囲んでいるアダプタの内側寄りのセグメントの材料が遠心作動の間にアダプタ自体を支持する強度を有するように前記開口が寸法付けられていることを特徴とする遠心チューブ用アダプタ。
【請求項５】
内側寄りおよび外側寄りのセグメントの材料が、光を透過させる材料であることを特徴とする請求項２ないし４のいずれかに記載の遠心チューブ用アダプタ。
【請求項６】
内側寄りのセグメントの開口に摺動可能に設けられ、該開口内で選択可能に位置ぎめすることができるプラグをさらに備えていることを特徴とする請求項３または４に記載の遠心チューブ用アダプタ。
【請求項７】
内側寄りの部分の開口に摺動可能に設けられ、該開口内で選択可能に位置ぎめすることができるプラグをさらに備えていることを特徴とする請求項２に記載の遠心チューブ用アダプタ。
【請求項８】
プラグが内表面と外表面を備えており、プラグの内表面に封止材料が設けられていて、該封止材料が押圧されてアダプタ内に担持されているチューブと接触することを特徴とする請求項６または７に記載の遠心チューブ用アダプタ。
【請求項９】
固定角遠心ロータに使用されるアダプタであって、該アダプタが、回転している間に回転軸線に関して半径方向内側寄りに位置する部分と、半径方向外側寄りに位置する部分とから構成されていて、遠心チューブを収容するよう寸法付けられた凹部を備えるようにされたアダプタにおいて、
アダプタの内側寄りの部分に長円形の開口が形成されていて、アダプタ内に担持されたチューブの一部が前記開口に露出していることを特徴とする遠心チューブ用アダプタ。
【請求項１０】
固定角遠心ロータに使用されるアダプタであって、該アダプタが、回転している間に回転軸線に関して半径方向内側寄りに位置する部分と、半径方向外側寄りに位置する部分とから構成されていて、遠心チューブを収容するよう寸法付けられた凹部を備えるようにされたアダプタにおいて、
アダプタの内側寄りの部分に開口が形成されていることと、プラグが内側寄りの部分の開口に摺動可能に設けられていて、前記開口内で選択可能に位置ぎめすることができることと、プラグが内表面と外表面を備えていて、封止材料がプラグの内表面に設けられていることと、封止材料が押圧されてアダプタ内に収容されたチューブと接触するようプラグが寸法付けられていることを特徴とする遠心チューブ用アダプタ。
【請求項１１】
アダプタが内側寄りのセグメントと外側寄りのセグメントとから構成されていて、アダプタの内側寄りセグメントに前記開口が形成されていることを特徴とする請求項１０に記載の遠心チューブ用アダプタ。
【請求項１２】
アダプタが光を透過させる材料から製作されていることを特徴とする請求項１０または１１に記載の遠心チューブ用アダプタ。
【発明の詳細な説明】
【０００１】
【産業上の利用分野】
本発明は、遠心チューブに使用されるカートリッジ式アダプタに関する。
【０００２】
なお、本明細書の記述は本件出願の優先権の基礎たる米国特許出願第０８／０６８，４９８号（１９９３年５月２７日出願）明細書の記載に基づくものであって、当該米国特許出願の番号を参照することによって当該米国特許出願の明細書の記載内容が本明細書の一部分を構成するものとする。
【０００３】
【従来の技術】
ＰＣＴ公開公報ＷＯ９１／０６３７３号は、遠心ロータのキャビティの中で封止されたカートリッジ式遠心チューブを支持するカートリッジ式アダプタを開示している。カートリッジ式アダプタは、それぞれくぼみを有する１対の対合可能なアダプタ・セグメントから構成されている。対合面に沿ってセグメントが接合されると、各セグメントに形成されたくぼみが協働し、封止された遠心チューブの一部または全体の寸法と形状に（製造誤差の範囲内において）正確に対応した寸法と形状を有する凹部を定める。カートリッジ式アダプタがロータのキャビティに挿入されると、内側寄りのセグメントＡｉ  として表示されている２つのセグメントのうちの一方は、回転軸線ＶＣＬに半径方向により接近して存する。内側寄りのセグメントＡｉ  はキャビティＣの半径方向内側に挿入されるセグメントであることを識別する目印を有している。半径方向外側寄りのセグメントＡ０  として表示されている他方のセグメントは、内側のセグメントから半径方向外方に位置していて、回転軸線ＶＣＬから半径方向にさらに離れて存している。
【０００４】
図１および図２は、従来の封止されたプラスチック製の遠心チューブの、長さ方向に直角な面に沿い上方から目視した状態の断面図であって、垂直角ロータとして図示されているロータＶのキャビティＣの中でチューブＴを支持しているときの内側寄りのセグメントＡｉ  と外側寄りのセグメントＡ０  を図解している。図１に示されている静止状態では、アダプタの内側寄りのセグメントＡｉ  と外側寄りのセグメントＡ０  の内面は、封止されたチューブの全周の回りで（寸法上の許容公差の範囲内で）封止されたチューブの外面に近接しているかまはは物理的に接触している。なお、チューブについては、アダプタの各セグメントの内面は、チューブの軸線方向の全長にわたって上述の配置状態にある。すなわち、チューブの長さ方向の軸線に関して直角の断面については、図１に示されている関係が維持されている。
【０００５】
図２を参照すれば、回転軸線ＶＣＬの回りでロータが回転するにしたがって、チューブＴは、半径方向外向きの力Ｆｃ  と内部の静水圧の力Ｆｈ  の影響を受ける。力Ｆｃ  は、遠心負荷のもとでチューブ自体の質量により生じる。一方、力Ｆｈ  は、遠心負荷のもとでチューブの液体内容物の質量により生じる。チューブの第１の部分Ｐ１  、すなわち、半径方向内側寄りのセグメントＡｉ  に収容された部分は、力Ｆｃ  と力Ｆｈ  とのベクトルの和の結果、チューブが半径方向外向きに撓んで図２の符号Ｄにより表示されているへこみが形成される。チューブのこの部分Ｐ１  の外面は、内側のセグメントＡｉ  の内面の隣接した領域Ｒから離間されているかまたはこの隣接した領域Ｒとある間隙を形成している。この間隙は図２の符号Ｓにより表示されており、内側のセグメントＡｉ  の領域Ｒは一点鎖線の円弧により表示されている。間隙Ｓの半径方向の大きさは、封止されたチューブ内の液体の容積と圧縮性に左右されるとともに、場合によってはチューブＴのアダプタへの嵌入状態にも左右される。
【０００６】
チューブＴの円周の残りの部分については、力Ｆｃ  と力Ｆｈ  とのベクトルの和の結果、チューブＴの外面は押圧されて互いに隣接しているアダプタの内側と外側のセグメントＡｉ  およびＡ０  の内表面と密接した状態となる。密接した領域は、比較的太い線により表示されている。
【０００７】
上述のように形成されたへこみＤは、チューブの長さ方向の軸線に沿って測定したある長さ寸法を有することは明らかである。この長さ寸法の大きさも、チューブ内の液体の容積と圧縮性に左右される。例えば、チューブが非圧縮性の液体で完全に充填されている場合、液体の力は遠心力とバランスするので、へこみが形成されるようなことはない。実際上、チューブ全体が充填されることはまれであり、しかも液体はある程度圧縮可能であるので、チューブＴの半径方向内側の部分の長さの一部に沿ってへこみＤが形成される。へこみＤは、チューブの半径方向内側の部分のえくぼと見做すことができよう。
【０００８】
へこみＤにおけるチューブの材料は内側寄りのセグメントＡｉ  の領域Ｒの内面から離間されているので、チューブＴ内の液体の静水圧の力は内側寄りセグメントＡｉ  のこの領域を支持する働きをすることはできない。しかしながら、チューブＴ内の液体の静水圧の力は、チューブＴが押圧されて密着した内側寄りのセグメントＡｉ  の領域をある程度支持する働きをする。この結果、使用時、アダプタの内側寄りのセグメントの支持されていない領域Ｒは、半径方向外向きに撓む。
【０００９】
【発明が解決しようとする課題】
撓みの大きさは、図３に示されているように、一定の撓みまたは応力を表示している表面輪郭により図解されている。図３は内側寄りのセグメントＡｉ  の半分を通る中心垂直面に沿って断面した状態を図解した斜視図であるが、図３に示されている表面輪郭が中心の垂直面について対称であることが理解されるべきである。アダプタの内側寄りのセグメントＡｉ  の領域Ｒの相対的な撓みの大きさはδ１  よりδ４  までにより表示されている。相対的に大きな撓みにより相対的に大きな応力がアダプタのセグメントに生じるので、付随して生じた応力の大きさは撓みの表面輪郭と形状が類似している。応力の輪郭も図３に示されていて、それぞれ符号σ１  よりσ４  までににより表示されている。符号δ１  および符号σ１  が撓みと応力の最大値を表している。内側寄りのセグメントＡｉ  の撓みと応力が大きい領域では破損が生じる恐れが大きい。
【００１０】
したがって、上述の事実を考慮すれば、撓みと応力が大きい領域を無くすかまたは大幅に少なくしたアダプタを提供することが有利であることが考えられる。
【００１１】
分子生物学の分野ではサンプル中のいろいろな物質をそれぞれの密度に従って分離するために“平衡遠心処理”と称されているテクニックを利用することは一般に行われていることである。代表的には、突然変異誘発要因である臭化エチジウム（ｅｔｈｉｄｉｕｍ  ｂｒｏｍｉｄｅ）を関心のある物質の中に数えることができる。遠心処理が終わった後、チューブが直立して静止している状態では、物質は再配置され、チューブの軸線に沿って長さ方向に離間した位置で横向きの一群を形成する。紫外線に露光されると、臭化エチジウムは紫外線を吸収し、目視可能な蛍光を放出するので、関心のある物質を有する一群の配置を容易にする。
【００１２】
関心のある物質を有する一群を引き出すために一般に行われている方法の１つは、チューブを適所に保持し、紫外線の光をチューブを通して照射して一群を位置ぎめすることである。チューブは手により保持されるかまたはスタンドにクランプされる。通気用の針が一群の上のところまで（通常はチューブの頂部の近傍の位置に達するよう）チューブに挿入される。作業者は、注射器をチューブに挿入した状態で（チューブがクランプされているかどうかを確認しながら）チューブを確実に保持しなければならない。注射器の先端が、関心のある物質の一群のすぐ下に位置していて、一群を引き出すことができるように注射器が挿入される。この手順は、関心のある物質の一群それぞれについて繰り返される。
【００１３】
このテクニックにはいろいろな欠点があることが明らかにされている。引き出し処理中にチューブを取り扱う際破損が生じる危険が作業者につきまとう。また、注射器をチューブから取り外すと、破損した開口を通ってチューブから液体が漏洩する。このような漏洩を防止する代表的な手法として、チューブをテーピングすることと、不活性な液体のプールの中にチューブを貯溜するときまで臨床医の指で破損部を閉止することとを挙げることができる。
【００１４】
したがって、上述の事実を勘案すれば、遠心処理の間はチューブを支持するとともに、従来のアダプタに付随する欠点を伴うことなく容易に物質を取り出すことができるアダプタを提供することは有利なことである。
【００１５】
【課題を解決するための手段】
本発明の第１の形態によれば、固定角遠心ロータに使用されるアダプタは、回転している間、回転軸線に関して半径方向内側寄りに位置する部分と、外側寄りに位置する部分とから構成されている。アダプタは、遠心チューブを収容するよう寸法付けられた凹部を備えている。チューブは、遠心処理の間、アダプタの内側寄りの部分の第１の領域から半径方向外方に向かってチューブの第１の部分を撓ませるとともに、チューブの隣接した第２の部分を押圧してアダプタの内側寄りの部分の第２の領域と接触させる負荷の影響を受ける。本発明によれば、アダプタの半径方向内側寄りの部分に開口が形成されている。開口はアダプタの内側寄りの部分の第１の領域とほぼ同じ広がりであることが好ましい。開口をほぼ適切に寸法付ければ、アダプタの内側寄りの部分のほぼいかなる部分も、アダプタ自体を支持するアダプタの材料の能力を越える負荷の影響を受けることはない。別の言い方をすれば、開口を取り囲んでいるアダプタの内側寄りの部分の材料は、遠心作動中、アダプタ自体を支持するに十分な強度を備えている。
【００１６】
本発明のこの形態は、一体物であるか別体物であるかにかかわりなく、いかなる形態のアダプタにも適用することができる。アダプタが対合可能な内側寄りセグメントＡｉ  と外側寄りセグメントＡ０  とから構成されている場合、開口は内側寄りセグメントＡｉ  に形成される。
【００１７】
本発明の第２の形態によれば、アダプタはプラグを備えており、該プラグは、アダプタの内側寄りのセグメントに形成された開口に摺動可能に設けられているとともに、選択的に位置ぎめすることができる。プラグは外表面と内表面を備えている。封止材料がプラグの内表面に設けられている。封止材料は押圧されてアダプタ内に担持されたチューブと接触する。好適な実施態様によれば、開口はサンプルを紫外線の光源に露出させることができるとともに、一群を目視可能に位置ぎめすることができるべく十分に大きく形成されている。別のやり方または補足的なやり方として、目視可能な光を透過させる材料からアダプタを製作し、開口を介して紫外線の光に露光された一群をアダプタを通して目視可能に位置ぎめするようにしてもよい。
【００１８】
【実施例】
以下、本発明の好適な実施例を図解した添付図面を参照しながら本発明を詳細に説明する。以下の詳細な説明を通して、全図において同一参照符号は同一要素を意味する。
【００１９】
それぞれ斜視図で示されている図４と図５（Ａ），（Ｂ）を参照すれば、本発明に従って構成されたアダプタは参照符号１０により表示されている。アダプタ１０は、固定角遠心ロータＶの中でチューブＴを遠心処理するために使用される。複数のキャビティＣがロータＶに形成されている。各キャビティＣにはノッチＮが形成されている。
【００２０】
図示の実施例では、アダプタ１０は内側寄りのセグメント１２と外側寄りのセグメント１４を備えている。内側寄りのセグメント１２はキー機能部材１２Ｋを備えており、該キー機能部材１２ＫはノッチＮに収容されるようになっている。両セグメント１２および１４はくぼみ１２Ｉおよび１４Ｉを有している。アダプタ・セグメント１２および１４が結合すると、くぼみ１２Ｉと１４Ｉが互いに協働し、遠心チューブＴを収容するよう寸法付けられた凹部１６が形成される（図４を参照されたい）。アダプタ１０のセグメント１２および１４は、ミネソタ州ウイノナ（Ｗｉｎｏｎａ）に所在するＲＴＰ社が製品番号ＲＴＰ４０８５のもとで販売している３０％炭素繊維強化のポリフタルアミド（ｐｏｌｙｐｈｔｈａｌａｍｉｄｅ）のごとき材料を射出成型することにより製作されることが好ましい。この場合のように、アダプタ１０の材料が光透過特性であるときは、ポリカーボネート系のプラスチック材料からアダプタ１０を射出成型するようにしてもよい。
【００２１】
本願で使用されている「固定角遠心ロータ」なる用語は、チューブをキャビティ内に収容したたとき、各チューブの軸線Ａｔ  が回転軸線ＶＣＬに関して所定の角度傾斜していて、遠心運転の間、この傾斜状態が保持されるようキャビティが本体の中に形成されているタイプのロータを意味している。この意味で、「固定角遠心ロータ」は、回転軸線に関するチューブの傾斜が当初はほぼゼロ度であって、遠心状態のもとでチューブの軸線が回転軸線に関してほぼ直角の向きを呈するよう揺動する、いわゆる「揺動バケット型遠心ロータ」と区別されている。チューブの軸線Ａｔ  の角度的な傾斜は、ロータに形成されたキャビティＣの軸線Ａｃ  を回転軸線ＶＣＬに関して傾斜させ、および／またはアダプタ１０の凹部１６の軸線Ａｒ  を傾斜させることにより確保することができる。（いわゆる“垂直ロータ”を表す）ゼロ度を含む任意の角度の値を使用することができる。
【００２２】
当初に説明された理由から、遠心処理の間、チューブは、該チューブの第１の部分が（上述の領域Ｒに対応した）アダプタの内側寄りのセグメント１２の第１の領域から半径方向外向きに撓む負荷の影響を受ける。一方、  チューブの隣接した第２の部分は、アダプタの内側寄りセグメントの第２の領域と密接した状態になるよう強いられる。本発明に従って構成されたアダプタ１０の内側寄りセグメント１２に開口２０が形成されている。開口２０は、内側寄りセグメント１２の第１の領域とほぼ同じ広がりである。開口２０は、遠心状態のもとではアダプタ１０の内側寄りセグメント１２のほとんどの部分がアダプタ１０自体を支持する材料の能力を越える負荷の影響を受けないよう寸法付けられている。別の言い方をすれば、開口２０は、該開口２０を取り囲んでいるアダプタ１０の内側寄りセグメント１２の材料が、遠心作動状態で、アダプタ１０自体を支持するに十分な強度を有するよう寸法付けられている。「アダプタ自体を支持するに十分な強度」という用語は、繰り返し作動の所定の有効寿命に亘り、所定の最高作動速度でアダプタ１０が用いられたとき、アダプタ１０が破損することがないことを意味している。また、この明細書で使用されている「ほぼ同じ広がり」という用語は、チューブの内側寄りセグメントの第１の領域全体より多くの部分、またはこれより少ない部分が除去されている場合も包有していることを意味しているものと理解されるべきである。本発明が意図しているものは、開口２０を内側寄りセグメント１２の第１の領域とほぼ同じ広がりにすることにより、相対的に大きい撓みおよび応力の領域をなくすかまたはほぼ低減することにある。
【００２３】
ＰＣＴ公開公報ＷＯ９１／０６３７３号に記載されている対合可能なセグメントから構成されたアダプタを背景として本発明をこれまで説明したが、一体物に形成されているとともに、使用の際、回転軸線に関して半径方向内側寄りに位置している部分と回転軸線に関して半径方向外側寄りに位置している部分とを有するアダプタにも同様に本発明を適用することができる。この場合、一体物に形成されたアダプタの半径方向内側寄りの部分に開口が設けられる。開口は上述のように寸法付けられているので、開口を取り囲んでいるアダプタの内側寄りの部分の材料は、遠心作動中、アダプタ自体を支持するに十分な強度を有するとともに、遠心作動中ではアダプタのいかなる部分もアダプタ自体を支持するに十分なアダプタの能力を越える負荷の影響を受けることはない。
【００２４】
図６の（Ａ），（Ｂ）および（Ｃ）は、本発明の第２の形態に従って構成されたアダプタ１０′の内側寄りのセグメント１２′の側断面図と正面側から見た立面図と上方から目視した断面図である。アダプタ１０′は、特に、平衡遠心分離の間に形成される物質の一群を容易に取出すことができるよう輪郭が設定されている。アダプタ１０′は、図４と図５に示されているようなセグメントから構成してもよく、あるいは一体物に構成するようにしてもよい。
【００２５】
半径方向内向きのセグメント１２′または使用の際半径方向内側寄りに位置するアダプタ１０′の部分に開口２０′が形成されている。開口２０′はアダプタ内に担持されたチューブＴの一部を露出させるよう適合されている。関心のある物質の一群をチューブから取出すことができるようにするため、サンプルを紫外線の光源に露出させるとともに、一群を目視可能に位置ぎめすることができるよう、開口２０′は寸法付けられていなければならない。また、開口２０′は、関心のある物質の一群を包有しているチューブの部分および（通気の目的のために）その上の領域が露出し、かつこれにアクセスできるよう位置ぎめされていなければならない。チューブ内のどこに位置していても、関心のある物質の一群を引き出すことができるようにするため、（チューブのネック部ｎを含め）チューブの長さのうち最大可能な部分を露出させるとともに、これにアクセスできるよう開口２０′が寸法付けられかつ位置付けられていなければならない。
【００２６】
開口２０′の寸法と位置は、上述の「アダプタ自体を支持するに十分な強度」を考慮して設定されなければならない。十分な強度を考慮することは上述の露出とアクセス性を考慮することと相入れないものであるので、実際上は作業速度と窓の寸法と窓の位置との間で適当な妥協をはかることが必要である。
【００２７】
アダプタ１０′は案内軌道２２Ａと２２Ｂを備えており、該案内軌道２２Ａと２２Ｂは開口２０′を取り囲んでいるアダプタの材料に形成されている。溝２６Ａと２６Ｂがプラグ２４に形成されている。溝２６Ａと２６Ｂは案内軌道２２Ａと２２Ｂを収容しているので、プラグ２４は開口２０′に沿って摺動可能に配置されているとともに、開口２０′内に選択可能に位置ぎめすることができるようになっている。プラグ２４は、内表面２８Ｉと外表面２８Ｅを備えている。プラグ２４の内表面２８Ｉは、アダプタ１０′内でチューブの方に向けられている。弾性材料のごとき封止材料３０の層が内表面２８Ｉに設けられている。
【００２８】
プラグ２４は、遠心作動の間はアダプタ１０′上に担持されているとともに、封止材料３０が押圧されて、アダプタ内に担持されているチューブと接触する。軌道２２Ａと２２Ｂは、遠心作動の間、プラグ２４を支持するように寸法付けられている。プラグ２４のいかなる部分もアダプタ１０′の外径を越えて外向きに延在させてはならず、また適当な開口がロータに設けられていなければならない。別のやり方として、プラグ２４をアダプタ１０′とは別個のものとし、遠心作動が終わったときにアダプタ１０′に挿入するようにしてもよい。
【００２９】
移動を容易にするために、外表面２８Ｅにセレーション３４が形成されている。必要な場合、補足的なプラグ（複数を含む）を開口２０′に設けるようにしてもよい。
【００３０】
可視光線を透過させることができる（先に挙げた材料のごとき）材料からアダプタ１０′が製作され得る。開口２０′を介して紫外線に露光された関心のある物質の一群の位置を作業者が目視することができるようにするため、アダプタ１０′の材料は十分に半透明でなければならない。材料が透明であることがもっとも好ましい。なお、アダプタを製作するために紫外線と可視光線の両方を透過させることができる材料を利用することができるのであれば、一群を紫外線に露光させるために必要な開口２０′の寸法に課せられている制約は無視してもさしつかえない。
【００３１】
使用に際しては、遠心処理が終わった後、チューブと一緒にアダプタ１０′は取り外される。関心のある物質の一群を取り除くときは、作業者の手によりアダプタ１０′を保持するようにしてもよく、クランプを使用して保持するようにしてもよい。別のやり方として、開口２０′へのアクセスをもたらすべくアダプタ１０′を適当なスタンドに挿入してアダプタをしっかりと適所に保持するようにすることがより好ましい。かくて、物質の一群を引き出す間、作業者がアダプタ２０′をしっかりと保持することを必要としない。したがって、アダプタ２０′が破損する潜在的な危険を回避することができる。
【００３２】
チューブから注射器を取り外した後、内表面２８Ｉ上の封止材料３０がチューブの破損部上に位置するようになるまで、開口２０′に沿ってプラグ２４を摺動させる。封止材料３０が押圧されてチューブと封止状態に係合するので、破損部から液体が漏洩することを効果的に阻止することができる。押圧力の大きさは、チューブが静止状態の間に漏洩が生じることを防止するに十分な程度であることを必要とするにすぎない。さらなる物質の引き出しがそれから行われ得る。
【００３３】
本発明の教示に基づく特長は上述の通りであるが、当業者であれば本発明についていろいろな変更を行うことができる。このような変更はすべて、請求の範囲の項により定義されている本発明の範囲内に入るものであると理解されるべきである。
【図面の簡単な説明】
【図１】封止された遠心チューブの長さ方向の軸線に直角な面で断面した状態における従来のアダプタの内側および外側寄りのセグメントを上方から目視した断面図であって、静止している間にロータＲのキャビティＣ内に封止された遠心チューブを支持している状態を示している。
【図２】封止された遠心チューブの長さ方向の軸線に直角な面で断面した状態における従来のアダプタの内側および外側寄りのセグメントを上方から目視した断面図であって、回転している間にロータＲのキャビティＣ内に封止された遠心チューブを支持している状態を示している。
【図３】内側寄りのセグメントＡｉ  の垂直方向の中心面に沿って断面した状態の斜視図であって、チューブが回転しているときチューブにへこみ領域が形成されるために生じる撓みと応力を表示しているチューブの中心面に関して対称をなす表面輪郭を図解している。
【図４】本発明の第１の形態に従って構成された遠心チューブのアダプタを破断した状態で目視した斜視図であって、一部は立断面図の状態で示されている。
【図５】（Ａ）および（Ｂ）は、図４に示されているアダプタの内側寄りのセグメントの内表面と外表面を示す斜視図である。
【図６】（Ａ）より（Ｃ）までは、本発明の第２の形態に従って構成されたアダプタの側断面図と、（内表面に向かって目視した）正面立面図と、上方から目視した拡大断面図である。
【符号の説明】
１０  アダプタ
１０′  アダプタ
１２  内側寄りセグメント
１２′  内側寄りセグメント
１２Ｉ  くぼみ
１２Ｋ  キー機能部材
１４  外側寄りセグメント
１４Ｉ  くぼみ
１６  凹部
２０  開口
２０′  開口
２２Ａ  案内軌道
２２Ｂ  案内軌道
２４  プラグ
２６Ａ  溝
２６Ｂ  溝
３０  封止材料
３４  セレーション
【図１】
0003630718.tif 000002
【図２】
0003630718.tif 000003
【図３】
0003630718.tif 000004
【図４】
0003630718.tif 000005
【図５】
0003630718.tif 000006
【図６】
0003630718.tif 000007